(57)【要約】      （修正有）【課題】ねじを安定キャッチするドライバーおよび当該ドライバー専用ねじを提供することにより、ねじ締め付け操作上の安定性と利便性を向上させる。【解決手段】十字、すり割り、六角の先端ビット１０を具備するドライバー１において、延長アーム４０は中心軸方向に収縮能力を具備する弾性装置を有し、専用ねじ６０は、その頭部にドライバービットの形状に対応するねじ溝６０３を有し、当該ねじ溝の最深部から当該ねじのねじ軸に沿って貫通または未貫通の軸穴６０５が穿たれており、ドライバーの先端ビットがねじ溝に挿入されるに当たり、同時にドライバーの延長アームもねじ溝に挿入され、当該ねじの軸穴内壁に対して圧縮応力が発生することにより、ドライバーとねじが結合・一体化され、いかなる作業地点、環境においてもねじ締め付け作業を行うことを可能ならしめ、ねじ溝結構を破壊しないような、ねじを安定キャッチする。【選択図】図１１
0003118040.tif 000002
【実用新案登録請求の範囲】
【請求項１】
ドライバーにおいて、ドライバーのグリップ側に相対する先端ビット側にあって、先端ビットから一体に形成された延長アームが伸びており、当該延長アームは弾性装置を具備することを特徴とする、ねじを安定キャッチするドライバー。
【請求項２】
請求項１記載のドライバーにおいて、当該延長アーム上の弾性装置の先端から上方に向かって割り溝が切られていることを特徴とする、ねじを安定キャッチするドライバー。
【請求項３】
請求項１記載のドライバーにおいて、当該延長アーム上に装着された弾性装置が軸方向に沿ってスリットの入った酒樽形ソケットであることを特徴とする、ねじを安定キャッチするドライバー。
【請求項４】
請求項１記載のドライバーにおいて、当該延長アーム上に装着された弾性装置が、弾性材料で製造された酒樽形ソケットであることを特徴とする、ねじを安定キャッチするドライバー。
【請求項５】
請求項１記載のドライバーにおいて、当該延長アーム上の先端がくさび形を呈していることを特徴とする、ねじを安定キャッチするドライバー。
【請求項６】
請求項１記載のドライバーの専用ねじにおいて、一体成形によりなる頭部とねじ山を具備し、ねじ頭にはねじ溝が切られ、ねじ溝の最深部から下方に向けて当該ねじの軸に沿って軸穴が穿たれているような、ねじを安定キャッチするドライバーの専用ねじ。
【請求項７】
請求項６記載のドライバーの専用ねじにおいて、当該軸穴が当該ねじを貫通する貫通軸穴であることを特徴とする、ねじを安定キャッチするドライバーの専用ねじ。
【請求項８】
請求項６記載のドライバーの専用ねじにおいて、当該軸穴が当該ねじを貫通しない未貫通軸穴であることを特徴とする、ねじを安定キャッチするドライバーの専用ねじ。
【請求項９】
請求項６記載のドライバーの専用ねじにおいて、当該ねじのねじ溝が十字、すり割り、方形または六角のうちの一種であることを特徴とする、ねじを安定キャッチするドライバーの専用ねじ。
【考案の詳細な説明】
【技術分野】
【０００１】
本考案はドライバーが当該ねじをしっかりとキャッチしてドライバー操作の自在化に効果を発揮するような、ドライバーおよび当該ドライバー操作に適合する専用ねじに関するものである。
【背景技術】
【０００２】
従来のねじ締め付け操作は、ねじ溝の形状であるすり割り、十字、六角に合わせてその形状に対応するドライバーまたはスパナを選択するものである。ドライバーの先端ビットをねじ溝に挿入するが、製造に当たり通常ねじ溝幅はゆとりを持って設計され、しかもねじ溝の深度も浅いことから、これがドライバーとねじ溝の噛合せを難しいものにしている。；ゆえに締め付け時において、助手を手を借りてねじとドライバーを恣意的に結合させる、或いは片手でねじを押えて作業を進めるようになる。；しかしこのような補助操作において、深穴の中での締め付け或いは補助動作を行うことが不可能の場合には、マグネットドライバーを利用してねじを吸い寄せてから締め付け地点まで移動させることになるが、この手のマグネットドライバーの磁力は弱く、操作地点到着を待たずにねじが分離して、操作上の困難と時間的ロスをまねくことになりがちである。；しかもこのマグネットドライバーは、非磁気性のねじに当たっては、別の専用夾具でねじを挟む必要がでてくる。
【０００３】
一般ねじのねじ溝は深度が浅いためドライバー挿入は容易だが、操作に当たり接触面不足から、締め付け回転に当たり少しでもトルクに均一性が欠けると、ねじの脱落またはねじ溝損壊をまねくことになる。さらに、一般ねじのねじ溝は、それに適合する形状のドライバーで操作されるべきものである。もし電気または情報機器の接続ターミナルに適用されれば、テスター計測を進めるに当たり、わに口クリップでねじを挟む必要があるが、ねじにおいて挟まれることが可能な部分はごく限られており、操作も用意ではなく脱落しがちである。もし、わに口クリップがなければ、作業員が両手で同時にテスター棒を持って、おのおの接触させて計測しなければならず、同時進行中の他の作業に差し障りをもたらすことになる。
【考案の開示】
【考案が解決しようとする課題】
【０００４】
本考案の主な目的は、ねじを安定キャッチするドライバーおよび当該ドライバー専用ねじを提供することにより、ねじ締め付け操作上の安定性と利便性を向上させる。
【０００５】
ねじを安定キャッチするドライバーという上述の目的に依拠して、ねじと噛合う先端ビット形状は周知のように十字、すり割り、六角形があるが、当該先端ビットの端から一体構造となる延長アームが伸びており、しかも当該延長アームには弾性装置が設けられている。この延長アーム上の弾性装置は中心軸に向かって収縮能力を有するものである。
【０００６】
上述のドライバー操作専用ねじにおいて、その頭部にはねじ溝を具備しており、当該ねじ溝の最深部から中心軸に沿って下方に向かい貫通または未貫通の軸穴が穿たれている。上述のドライバーと当該ドライバー操作に適合する専用ねじにおいて、周知の操作方式に倣いドライバーをねじ溝に挿入するに当たり、ドライバーの延長アームをねじ溝に挿入することになる。これによって、延長アームの弾性装置が当該ねじの軸穴内壁にあって圧縮応力を発生させ、当該延長アームをして当該軸穴内部において収縮させることにより、ドライバーとねじを堅固に結合させ、いかなる地点、環境においても締め付け作業を進められ、作業時におけるねじの締め付け回転に当たりドライバーがねじ溝から脱落したり、またねじ溝を損傷するようなことがない。
【課題を解決するための手段】
【０００７】
請求項１の考案は、ドライバーにおいて、ドライバーのグリップ側に相対する先端ビット側にあって、先端ビットから一体に形成された延長アームが伸びており、当該延長アームは弾性装置を具備することを特徴とする、ねじを安定キャッチするドライバーとしている。
請求項２の考案は、請求項１記載のドライバーにおいて、当該延長アーム上の弾性装置の先端から上方に向かって割り溝が切られていることを特徴とする、ねじを安定キャッチするドライバーとしている。
請求項３の考案は、請求項１記載のドライバーにおいて、当該延長アーム上に装着された弾性装置が軸方向に沿ってスリットの入った酒樽形ソケットであることを特徴とする、ねじを安定キャッチするドライバーとしている。
請求項４の考案は、請求項１記載のドライバーにおいて、当該延長アーム上に装着された弾性装置が、弾性材料で製造された酒樽形ソケットであることを特徴とする、ねじを安定キャッチするドライバーとしている。
請求項５の考案は、請求項１記載のドライバーにおいて、当該延長アーム上の先端がくさび形を呈していることを特徴とする、ねじを安定キャッチするドライバーとしている。
請求項６の考案は、請求項１記載のドライバーの専用ねじにおいて、一体成形によりなる頭部とねじ山を具備し、ねじ頭にはねじ溝が切られ、ねじ溝の最深部から下方に向けて当該ねじの軸に沿って軸穴が穿たれているような、ねじを安定キャッチするドライバーの専用ねじとしている。
請求項７の考案は、請求項６記載のドライバーの専用ねじにおいて、当該軸穴が当該ねじを貫通する貫通軸穴であることを特徴とする、ねじを安定キャッチするドライバーの専用ねじとしている。
請求項８の考案は、請求項６記載のドライバーの専用ねじにおいて、当該軸穴が当該ねじを貫通しない未貫通軸穴であることを特徴とする、ねじを安定キャッチするドライバーの専用ねじとしている。
請求項９の考案は、請求項６記載のドライバーの専用ねじにおいて、当該ねじのねじ溝が十字、すり割り、方形または六角のうちの一種であることを特徴とする、ねじを安定キャッチするドライバーの専用ねじとしている。
【考案の効果】
【０００８】
本考案は提供する、ねじを安定キャッチするドライバーおよびその専用ねじは、従来のドライバーとねじに較べて、操作をより安定化、簡便化させ、ねじ溝を損壊から保護するものである。
【考案を実施するための最良の形態】
【０００９】
本考案である、ねじを安定キャッチするドライバーの実施例が図１から図３までに示されている。当該ドライバー１、２、３の先端ビットは十字１０、すり割り２０および六角３０であり、おのおののドライバー１、２、３の先端ビット１０、２０、３０の末端からは一体構造の延長アーム４０が伸びており、当該延長アーム４０は弾性装置５０を具備している。
【００１０】
上述の当該延長アーム４０にある弾性装置５０は、図４から図６までに示されるとおり。当該延長アーム４２に沿って、その末端から上方に向かって割り溝４２１が切られており（図４）、当該割溝４２１は外部からの圧力を受けて内部に向けて収縮する構造であり、このため当該延長アーム４２は中心軸方向への弾性収縮能力を持つに至っている。或いは、図５の弾性装置５２のように、軸方向にスリットの入った酒樽形ソケットが当該延長アーム４４の一部に装着されたもの、または図５の弾性装置５２と同様に当該延長アーム４４への装着式だが、異なる弾性材料で製造された酒樽形ソケットの弾性装置５４（図６）がある。弾性装置５２、５４は図５、図６で示されたように当該延長アーム４４のくびれ部分４４１に装着されて安定的に結合されている。
【００１１】
上述のドライバーは、先端ビット１０、２０、３０より延長アーム４０が伸びていることから、その特殊構造に合わせて専用ねじが提供される必要があるが、当該ねじは現在流通しているねじを基礎として改良が加えられたものであり、各種のねじ６０の頭部６０１にドライバーの先端ビット１０を挿入するねじ溝６０３が設けられ、当該ねじ６０の中心軸に沿って軸穴６０５が穿たれており、；当該軸穴は当該ねじを未貫通の未貫通軸穴６０７（図１２参照）と、；当該ねじを貫通している貫通軸穴６０９（図１３参照）がある。上述された、ねじ溝から穿たれた軸穴６０５は、当該ねじ溝の中心点から穿たれるのが最も望ましく、図７から図１０までに示されたのは、前述のドライバー専用のねじの頭部に穿たれた軸穴６０５掘削位置における各種実例の平面図である。
【００１２】
上述のドライバーと当該ドライバーの操作に適合する専用ねじ６０において、従来に倣い、ドライバー１を操作して当該延長アーム４０をねじ溝６０３に挿入すると、図１１に示されたように、延長アーム４０に挿入または装着されている弾性装置５０は、当該軸穴６０５の締め付け応力を受けて反作用により当該軸穴６０５内壁に対して圧縮応力を発生させ、当該延長アーム４０は軸穴６０５中にあって締め付けられ、これによってドライバー１とねじ６０が一体化結合されることになる。この状態のもとにおいて、ねじ６０はドライバー１に従うこととなり、いかなる作業地点へも安定的に移動させることが可能となり、たとえば図１２のような深穴７２最深部における締め付け作業も、手を添えることなく行うことができる。；電気または情報機器の接続ターミナル７４上における固定ねじ６２も本出願申請における前述のねじ６０で代用することが可能である。たとえば、テスター棒７６のセンサーチップ７８を当該ねじ６２の軸穴６０９中に挿入すれば、特に手を添える必要もなく簡単に電気的特性の計測が可能となる。；このほか、片手でリード線を持ち、もう片方の手でねじ締め付けを行うような帯電作業のもとでは、本出願申請のドライバーと専用ねじを採用することにより、感電のおそれを排除できる。さらに、ねじに軸穴が具備されていることにより、絶縁表示ラベルを挟み込むのも容易となり、各接続点のコード番号記載に効力を発揮する。
【００１３】
延長アームを具備する上述のドライバーにおいて、ねじの軸穴への挿入の便を図るため、当該延長アーム４０の先端部はくさび形８２、８４、８６とする（図１から図６）。
【図面の簡単な説明】
【００１４】
【図１】各種ドライバーと結合された本考案における安定締め付け型ドライバーの実施結構図。
【図２】各種ドライバーと結合された本考案における安定締め付け型ドライバーの実施結構図。
【図３】各種ドライバーと結合された本考案における安定締め付け型ドライバーの実施結構図。
【図４】本考案におけるねじを安定キャッチするドライバーの各種実施結構図。
【図５】本考案におけるねじを安定キャッチするドライバーの各種実施結構図。
【図６】本考案におけるねじを安定キャッチするドライバーの各種実施結構図。
【図７】本考案におけるねじを安定キャッチするドライバー操作におけるねじ頭の各種実施結構図。
【図８】本考案におけるねじを安定キャッチするドライバー操作におけるねじ頭の各種実施結構図。
【図９】本考案におけるねじを安定キャッチするドライバー操作におけるねじ頭の各種実施結構図。
【図１０】本考案におけるねじを安定キャッチするドライバー操作におけるねじ頭の各種実施結構図。
【図１１】本考案におけるねじを安定キャッチするドライバーとその専用ねじの操作結合状態図。
【図１２】本考案におけるねじを安定キャッチするドライバーがその専用ねじと結合された後における深穴操作モード状態図。
【図１３】本考案におけるねじを安定キャッチするドライバーに操作された専用ねじが電気的特性または距離計測に応用された場合の状態図。
【符号の説明】
【００１５】
１、２、３  ドライバー
１０  先端ビット（十字）
２０  先端ビット（すり割り）
３０  先端ビット（六角）
４０、４２、４４  延長アーム
５０、５２、５４  弾性パーツ
６０  ねじ
６２  ねじ
７２  深穴
７４  接続ターミナル
７６  テスター棒
７８  センサーチップ
８２、８４、８６  くさび形ヘッド
４２１  割り溝
４４１  くびれ部分
６０１  ねじ頭
６０３  ねじ溝
６０５  軸穴
６０７  未貫通軸穴
６０９  貫通軸穴
【図１】
0003118040.tif 000003
【図２】
0003118040.tif 000004
【図３】
0003118040.tif 000005
【図４】
0003118040.tif 000006
【図５】
0003118040.tif 000007
【図６】
0003118040.tif 000008
【図７】
0003118040.tif 000009
【図８】
0003118040.tif 000010
【図９】
0003118040.tif 000011
【図１０】
0003118040.tif 000012
【図１１】
0003118040.tif 000013
【図１２】
0003118040.tif 000014
【図１３】
0003118040.tif 000015